(57)【要約】    【課題】  昇降における動線を短くできる最善の位置に階段を配置できるため、動作の無駄を排除して快適に使用できる階段の構造を提供する。    【解決手段】  階段勾配に応じて傾く、平行で一対の桁部材及びこの桁部材に支持されて上下に略等間隔で隔設される複数の踏み板を含む階段本体と、上階床に設けられ前記階段本体の上部を取り付ける上の支持部と、下階床に設けられ前記階段本体の下部を取り付ける下の支持部とを具えた階段の構造であって、前記下の支持部は、平行で一対の床梁間に架け渡された小梁の側面に取り付けられる側大引きと、この側大引きと平行に向き合い、前記一対の床梁間に架け渡される前大引きと、両端部が側大引き、及び前大引きに各々支持される張出し床板とを含み構成されることを特徴とする【選択図】  図２
2006307565.tif 000002
【特許請求の範囲】
【請求項１】
階段勾配に応じて傾く、平行で一対の桁部材及びこの桁部材に支持されて上下に略等間隔で隔設される複数の踏み板を含む階段本体と、上階床に設けられ前記階段本体の上部を取り付ける上の支持部と、下階床に設けられ前記階段本体の下部を取り付ける下の支持部とを具えた階段の構造であって、
前記下の支持部は、平行で一対の床梁間に架け渡された小梁の側面に取り付けられる側大引きと、この側大引きと平行に向き合い、前記一対の床梁間に架け渡される前大引きと、両端部が側大引き、及び前大引きに各々支持される張出し床板とを含み構成されることを特徴とする階段の構造。
【請求項２】
前記小梁は、上下のフランジ間を縦のウエブで継いだ略横Ｈ字状をなし、
前記側大引きは、垂直断面が縦長矩形状をなし、かつ前記小梁のウエブに側大引き取付具を介して固着され、
前記側大引き取付具は、側大引きを嵌合支持する横コ字状の嵌合部と、この嵌合部の小梁側の上、下端部から小梁側へ水平にのびる上、下の横片と、この上、下の横片の先端部から各々上、下に向いて折れ曲がり、前記小梁のウエブに固着される上、下の取付片とを含み構成されることを特徴とする請求項１記載の階段の構造。
【請求項３】
前記側大引きは、下面、両側面を連続して覆う緩衝シートを介して側大引き取付具の嵌合部に嵌合され、  前記緩衝シートは、嵌合部の固着孔内に挿入され、固着具と固着孔の内周面と擦れを防止する筒状の緩衝突部を有することを特徴とする請求項１又は２記載の階段の構造。
【請求項４】
前記床梁は、上下のフランジ間を縦のウエブで継いだ略横Ｈ字状をなし、
前記前大引きは、垂直断面が縦長矩形状をなし、かつその両端部が、前記床梁のウエブに前大引き取付具を介して固着され、
前記前大引き取付具は、前記床梁のウエブに固着される垂直な基板と、この基板の上部に固着され、かつ前大引きの下面を載置して支持する下片及びこの下片の一側縁から上に向いて折れ曲がり、かつ前大引きの片側側面に沿う側片からなるＬ字状の固定部とを含み構成されることを特徴とする請求項１〜３のいずれかに記載の階段の構造。
【発明の詳細な説明】
【技術分野】
【０００１】
本発明は、建物の上下階間の昇降に使用され、特に三階建て以上の建物において効果的に採用される階段の構造に関する。
【背景技術】
【０００２】
居住者など建物の使用者が、上下階層間の移動に使用する階段は、その移動の動線を考慮しつつ、平面プラン上の制約などから配置されている。同時に、階段の支持強度の安定性を確保するために、階段の配置箇所に架設されている床梁、天井梁など主要な構造体に対し、階段の上端部、下端部を支持させる構造が採用されている（例えば、特許文献１参照）。
【０００３】
【特許文献１】特開２００１−８１９２４号公報
【発明の開示】
【発明が解決しようとする課題】
【０００４】
しかしながら、床梁、天井梁などの支持構造体は、構造設計上の諸条件に基づいてその梁伏せ位置が決定される。従って、これら支持構造体が、前記移動の動線上好ましい位置にない場合には、階段配置を支持構造体の位置に合わせて変更せざるを得ず、その結果複雑な動線が形成されて使用者の移動に不便なプランが多く発生する。更に三階建て以上の建物においては、上下に連続した階段がチグハグに位置ズレして、そのため二階層以上昇降する使用者が大きく迂回して階段を昇り降りすることも起こる。
【０００５】
或いは、多少の支持構造体の位置ズレを吸収するため、階段の勾配を加減して取り付けると、例えば５０度を超えるような急勾配が形成されたり、逆に２５度を下回るような緩勾配に形成され、高齢者、非健常者がこのような階段を昇り降りできないという問題が生じる。
【０００６】
本発明は、平行で一対の床梁間に架け渡された小梁の側面に取り付けられる側大引きと、この側大引きと平行に向き合い、前記一対の床梁間に架け渡される前大引きと、両端部が側大引き、及び前大引きに各々支持される張出し床板とを含む下の支持部により、階段本体の下部を取り付けることを基本とし、昇降における動線を短くできる最善の位置に階段を配置できるため、動作の無駄を排除して便利に使用できる階段の構造の提供を課題としている。
【課題を解決するための手段】
【０００７】
前記目的を達成するために、請求項１に係る発明は、階段勾配に応じて傾く、平行で一対の桁部材及びこの桁部材に支持されて上下に略等間隔で隔設される複数の踏み板を含む階段本体と、上階床に設けられ前記階段本体の上部を取り付ける上の支持部と、下階床に設けられ前記階段本体の下部を取り付ける下の支持部とを具えた階段の構造であって、前記下の支持部は、平行で一対の床梁間に架け渡された小梁の側面に取り付けられる側大引きと、この側大引きと平行に向き合い、前記一対の床梁間に架け渡される前大引きと、両端部が側大引き、及び前大引きに各々支持される張出し床板とを含み構成されることを特徴とする。
【０００８】
請求項２に係る発明では、前記小梁は、上下のフランジ間を縦のウエブで継いだ略横Ｈ字状をなし、前記側大引きは、垂直断面が縦長矩形状をなし、かつ前記小梁のウエブに側大引き取付具を介して固着され、前記側大引き取付具は、側大引きを嵌合支持する横コ字状の嵌合部と、この嵌合部の小梁側の上、下端部から小梁側へ水平にのびる上、下の横片と、この上、下の横片の先端部から各々上、下に向いて折れ曲がり、前記小梁のウエブに固着される上、下の取付片とを含み構成され、また請求項３に係る発明においては、前記側大引きは、下面、両側面を連続して覆う緩衝シートを介して側大引き取付具の嵌合部に嵌合され、前記緩衝シートは、嵌合部の固着孔内に挿入され、固着具と固着孔の内周面と擦れを防止する筒状の緩衝突部を有することを特徴とする。
【０００９】
請求項４に係る発明では、前記床梁は、上下のフランジ間を縦のウエブで継いだ略横Ｈ字状をなし、前記前大引きは、垂直断面が縦長矩形状をなし、かつその両端部が、前記床梁のウエブに前大引き取付具を介して固着され、前記前大引き取付具は、前記床梁のウエブに固着される垂直な基板と、この基板の上部に固着され、かつ前大引きの下面を載置して支持する下片及びこの下片の一側縁から上に向いて折れ曲がり、かつ前大引きの片側側面に沿う側片からなるＬ字状の固定部とを含み構成されることを特徴とする。
【発明の効果】
【００１０】
請求項１に係る発明は、所定の床構造により形成される上の支持部に対し、階高、階段勾配などの諸条件に応じた位置に下の支持部を構成できるため、各階の平面プランに対応しつつ昇り降りの動線を最も短くする最良の位置に階段を配置できる。しかも階段本体の下を支える下の支持部は、側大引き、前大引きを含む堅牢な構造として構成されるため、階段本体を安定した状態で支持できる。その結果、昇降時の振動が抑制され、高い居住性が得られる。
【００１１】
請求項２に係る発明の側大引きは、嵌合部に嵌合支持されるため、安定した支持強度が得られ、しかも組み立て作業を簡単に行える。また前記側大引きは、上、下の横片によって、小梁の上フランジを回避してその前方に配置されるため、張出し床板を確実に支持できる。
【００１２】
請求項３に係る発明では、緩衝シートにより、側大引きと側大引き取付具との接触が防止されて、軋み音を防止できるとともに、緩衝突部により、固着具と側大引き取付具との擦れ音が防止できる。また緩衝突部が固着孔に挿入されるため、緩衝シートの位置ズレを防止することもできる。
【００１３】
請求項４に係る発明では、前大引きは、下片及び側片からなるＬ字状の固定部により支持されるため、安定した支持強度が得られ、しかも組み立て作業を簡単に行える。また基板の、床梁のウエブに対する固着位置を変更調整することにより、前記階段勾配などに応じて様々な大きさに形成される張出し床板の前端部を簡単確実に支持できる。
【発明を実施するための最良の形態】
【００１４】
以下、本発明の実施の一形態を、図示例とともに説明する。図１に示すように、階段の構造１は、階段本体４と、この階段本体４の上部を取り付ける上の支持部５と、下部を取り付ける下の支持部６とを具える。
【００１５】
前記階段本体４は、図１に示すように、平行で一対の桁部材２と、複数の踏み板３を含み構成される。本形態の桁部材２は、内側面に形成した蟻溝に踏み板３の両側部を嵌合する蟻形追入れ接ぎにより踏み板３の両側を取り付ける側桁により形成される。しかし側桁に替え、踏み板３を下から支えるささら桁により構成することもできる。前記桁部材２は、例えば階段勾配に準じて３０〜３５°程度に傾斜し、下階床面から上階床面に至る長さの長尺板を用いて形成される。また桁部材２には、図７に示すように、その上端下部を鍵状に切り欠いた係合段部３４が形成される。
【００１６】
前記踏み板３は、水平な横長矩形板により形成され、上下に等間隔で並んだ複数（本形態では１３枚）の踏み板３が、左右の桁部材２、２間に架け渡される。この踏み板３の上面の奥行き寸法である踏み面は、例えば１５〜２５ｃｍ程度に形成され、かつ踏み板３の一段分の高さである蹴上げは、例えば１５〜２３ｃｍ程度に形成される。
【００１７】
前記桁部材２、踏み板３は杉、松、樅、栂などの針葉樹、或いはナラ、チーク、ラワンなどの広葉樹を含む無垢木材、これらを加工した集成材、合板、パーティクルボード、インシュレーションボード、ＭＤＦ（中密度繊維板）を含む木質板材、リサイクル木粉にポリプロピレン樹脂、ポリエチレン樹脂などを配合して押出、射出成形した人工木材、その他鋼鉄を始めとする金属材料、強化プラスチックなどを用いて構成される。
【００１８】
また本形態の階段本体４は、下の踏み板３後端部から立ち上がり上の踏み板３との間を遮蔽する蹴込み板３８が取り付けられる。しかし、蹴込み板３８を設けない透し階段として構成することも良い。
【００１９】
前記上の支持部５は、図７に示すように、上階床Ｆ２を形成する床小梁３１と、この床小梁３１の上フランジ３２上に取り付けられる框材３３とを含み構成される。前記床小梁３１は、階段を配置する上階床Ｆ２の縁部に配され、ウェブ３５に固着されたアングル状のパネル取付金具３６を介して、床パネル３７の端部を固着することにより上階床Ｆ２を形成している。前記床パネル３７は、断面コ字状材を矩形状に枠組みしたパネル外周枠３７Ａの上面に床下地板３７Ｂを添設して成り、この床下地板３７Ｂ及び前記框材３３の上面にフローリング材３９を敷設して床仕上げされる。
【００２０】
框材３３の上に前記階段本体４の前記係合段部３４を載置係合し、かつ図示されない釘などの固着具、酢酸ビニル系エマルジョン接着剤、専用取付金具などを用いて固着する。このように構成することにより、階段本体４の上部に掛かる荷重は、框材３３を介して床小梁３１に安定して支持される。
【００２１】
前記下の支持部６は、下階床Ｆ１に設けられ、側大引き９と、前大引き１０と、この側大引き９及び前大引き１０により両端部が支持される張出し床板１１とを有する。更に前記下階床Ｆ１は、平行で一対の床梁７、７と、この床梁７、７間に架け渡された小梁８とを含み構成される。
【００２２】
前記床梁７は、例えば９００〜１５００ｍｍ程度の間隔を隔てて平行に配置される。本形態の床梁７は、上下のフランジ間を縦のウエブＷ２で継いだ略横Ｈ字状の型鋼が用いられ、しかも柱間に架け渡されて下階床Ｆ１の主要構造を形成する大梁として構成されている。しかし床梁７は、大梁に替え、小梁によって構成することもできる。なお本形態の床梁７は、図３、４に示すように、上下のフランジ先端間に、垂直な受板４０が取り付けられる。
【００２３】
前記小梁８は、前記床梁７と同様、上下のフランジ間を縦のウエブＷ１で継いだ略横Ｈ字状の型鋼を用いて形成される。但し本形態では、小梁８は、前記床梁７よりも少し小さなサイズの型鋼を用いている。また本形態の小梁８は、図３に示すように、その両端に垂直な端部プレート４１が形成される。この端部プレート４１を前記床梁７の受板４０にボルトなどを用いて固着することにより、床梁７、７間に架け渡される。
【００２４】
前記小梁８は、図２に示すように、ウエブＷ１の一方の側にアングル状のパネル取付金具３６を介して、前記と同構成の床パネル３７の端部を固着することにより下階床Ｆ１を形成している。また小梁８の上フランジの上部には、角材状の木下地材４２が取り付けられ、前記床パネル３７と同高さの床下地面を形成している。
【００２５】
前記側大引き９、前大引き１０は、図２に示すように、双方同じ巾、高さを有し、垂直断面が縦長矩形状の角材を用いて形成される。さらに側大引き９、前大引き１０は、前記床梁７、７のウエブＷ２の間隔と略同長さに形成される。そして側大引き９は、小梁８のウエブＷ１の前記他方の側に、側大引き取付具１２を用いて固着される。他方前大引き１０は、前記側大引き９と平行に向き合い、その両端部が前記床梁７のウエブＷ２に前大引き取付具２０を介して固着される。
【００２６】
前記側大引き取付具１２は、図５に示すように、前記側大引き９の切断面の巾と略同開口巾で上に開いた横コ字状の嵌合部１３と、この嵌合部１３の小梁８側の上下端部から小梁８側へ水平にのびる上、下の横片１４Ｕ、１４Ｄと、この上、下の横片１４Ｕ、１４Ｄの先端部から各々上、下に向いて折れ曲がる上、下の取付片１５Ｕ、１５Ｄとを含み構成されたものを例示している。本形態の側大引き取付具１２は、嵌合部１３及び下の横片１４Ｄと、下の取付片１５Ｄとの間にスティフナー４３を設けて、変形強度を補強している。また前記嵌合部１３は、その前面の立ち上げ片に、釘などを挿通させる固着孔１７が形成される。
【００２７】
また前記側大引き取付具１２は、少なくとも小梁８の両端部近傍の二箇所において、上、下の取付片１５Ｕ、１５Ｄが前記小梁８のウエブＷ１にボルトなどを用いて固着される。更に必要強度に応じて、小梁８の中間部にも一以上の側大引き取付具１２が固着される。前記側大引き９は、前記固着された側大引き取付具１２の嵌合部１３に嵌合されるとともに、前記固着孔１７に挿通した釘、ビスなどの固着具１８により固着される。側大引き９は、本形態では前記嵌合部１３に嵌合することより、所定の高で安定した強度により支持でき、しかも取付作業を簡単に行える点で好ましい。また、側大引き取付具１２の上、下の横片１４Ｕ、１４Ｄによって、側大引き９が小梁８の上フランジを回避した前方の位置で支持される。そのため、前記張出し床板１１の端部を側大引き９の上面で確実に支持できる点で好ましい。
【００２８】
更に本形態では、図５に示すように、嵌合部１３の内周面に沿い、側大引き９との間に緩衝シート１６が介装される。緩衝シート１６が側大引き９の下面、両側面を連続して覆うため、側大引き９と側大引き取付具１２との直接接触がなくなり、擦れによる軋み音が防止できる点で好ましい。この緩衝シート１６は、例えばクロロプレンゴム、イソプレンゴム、硬質ポリウレタン、高密度ポリエチレン、ＥＶＡ樹脂などを用いて形成され、厚さは、例えば、０．７〜２．０ｍｍ程度、好ましくは０．９〜１．５ｍｍ、本形態では１．２ｍｍとしている。０．７ｍｍ未満では、弾性が不足し、逆に２．０ｍｍを超えると、変形量が過大となるため、床表面に不陸を生じる恐れがある。
【００２９】
また、本形態の緩衝シート１６は、嵌合部１３の固着孔１７に挿入される筒状の緩衝突部１９が形成される。該緩衝突部１９は、固着孔１７の内周面を覆って、前記固着具１８との直接の擦れを防ぎ、軋み音を抑制しうる点で好ましい。同時に緩衝突部１９が固着孔１７に係合することにより緩衝シート１６が位置決めされ、側大引き９の嵌合時などに発生する位置ズレが防止できる。
【００３０】
前記前大引き取付具２０は、垂直な基板２１と、この基板２１の上部に固着される固定部２２とを有し、図６（Ａ）、（Ｂ）に示されるように、対称形に形成された第１、第２の前大引き取付具２０Ａ、２０Ｂを含み構成される。前記基板２１は、本形態では、矩形板状をなす。他方固定部２２は、前記基板２１の上端から各々内側へ向き水平にのびる下片２２Ｄと、この下片２２Ｄの一側縁から上に向いて折れ曲がる側片２２ＳとからなりＬ字状をなす。更に本形態の前大引き取付具２０は、基板２１と下片２２Ｄとの間に双方に対し直角なスティフナー４５が設けられる。
【００３１】
前記第１、第２の前大引き取付具２０Ａ、２０Ｂは、図３、４に示すように、ボルト（図示せず）などの固着具を用いて、基板２１が向き合う床梁７のエウブＷ２に同一高さに取り付けられる。前記前大引き１０は、その両端部が各取付具２０の固定部２２の側片２２Ｓに前記小梁８側の側面を沿わせつつ、下片２２Ｄ上に載置される。そして、側片２２Ｓ、下片２２Ｄを挿通した釘、ビスなどの固着具を前大引き１０に打ち込むことにより、前大引き１０が固定される。このように、前大引き１０は、下片２２Ｄ及び側片２２ＳからなるＬ字状の固定部２２によって下面及び一方側面を支持されるため、安定した取付強度が得られ、前大引き１０の取付作業が効率的に行える。
【００３２】
前記張出し床板１１は、前記の如く側大引き９及び前大引き１０により両端部が支持されて、下階床Ｆ１に一体に連続した床面を形成する。本形態では図３、４に示すように、張出し床板１１は、水平で矩形状の下地面板１１Ａと、一定間隔で隔設されるとともに前記床梁７に平行な複数の根太材１１Ｂとで構成される。下地面板１１Ａは、根太材１１Ｂに対し釘固定されることにより、張出し床板１１はパネル状に構成される。そして側大引き９及び前大引き１０上に架け渡されるとともに、釘、ビス、ボルト、専用取付具などを用いて固定されることにより、前記床パネル３７、木下地材４２とともに隙間がなく、かつ整一な床下地面を形成する。
【００３３】
また図２に示すように、張出し床板１１の上に、階段本体４の下部が載置されるとともに釘、ビス、ボルト、金具などを用いて固定される。このとき、床梁７のウエブＷ２に対して前記前大引き取付具２０の基板２１を取り付ける位置を替えることにより、前大引き１０の位置は自由に調整できる。即ち張出し床板１１をこれに合わせた大きさに形成することで、任意の大きさの下の支持部６を、必要な設置位置に簡単に形成することができる。そのため、所定の床構造により形成される上の支持部５に対し、階高、階段勾配などの諸条件に応じた大きさの下の支持部６が構成され、各階の平面プランに対応しつつ昇り降りの動線を最も短くする最良の位置に階段を配置できる。その結果、三階建て以上の建物においては、上下に連続する階段を最短の位置に配置できるため、二階層以上昇降する使用者は最短の動線上を昇り降りできる。しかも階段本体４を支える下の支持部６は、側大引き９及び前大引き１０を含む堅牢な構造に構成されるため、階段本体４が安定した状態で支持されて、昇降時の振動を抑制して、高い居住性が得られる。
【００３４】
尚、叙上の説明は本発明の実施の形態を例示したものである。従って本発明の技術的範囲はこれに何ら限定されるものではなく、前記した実施の形態の他にも、各種の変形例が含まれる。すなわち本形態では、直階段の場合を例示しているが、かね折れ階段、回り階段、折り返し階段等各種構成の階段においても、本発明を採用しうる。
【図面の簡単な説明】
【００３５】
【図１】本発明の一実施の形態を例示する正面図である。
【図２】その要部縦断面図である。
【図３】その要部斜視図である。
【図４】その異なる箇所の要部斜視図である。
【図５】側大引き取付具の拡大斜視図である。
【図６】（Ａ）（Ｂ）は各々左右に配される前大引き取付具の斜視図である。
【図７】階段上部の縦断面図である。
【符号の説明】
【００３６】
１      階段の構造
２      桁部材
３      踏み板
４      階段本体
５      上の支持部
６      下の支持部
７      床梁
８      小梁
９      側大引き
１０      前大引き
１１      張出し床板
１２      側大引き取付具
１３      嵌合部
１４      横片
１５      取付片
１６      緩衝シート
１７      固着孔
１８      固着具
１９      緩衝突部
２０      前大引き取付具
２１      基板
２２      固定部
２２Ｓ    側片
２２Ｄ    下片
Ｆ１      下階床
Ｆ２      上階床
Ｗ      ウエブ
【図１】
2006307565.tif 000003
【図２】
2006307565.tif 000004
【図３】
2006307565.tif 000005
【図４】
2006307565.tif 000006
【図５】
2006307565.tif 000007
【図６】
2006307565.tif 000008
【図７】
2006307565.tif 000009